(57)【特許請求の範囲】
【請求項１】
シフトレンジをアクチュエータによって切り替えるバイワイヤ方式のシフト切替装置が搭載された車両の制御装置であって、
前記車両の駆動源から駆動輪への動力伝達を遮断する油圧式の動力遮断手段と、前記動力遮断手段の作動油の油温を検出する油温検出手段と、前記シフト切替装置のフェールを検出するフェール検出手段とを備え、前記作動油の油温が予め設定された閾値よりも低い場合には、前記フェール検出結果に関わらず、前記動力伝達の遮断を行うことを特徴とする車両の制御装置。
【請求項２】
請求項１記載の車両の制御装置において、
前記作動油の油温が前記閾値以上である場合には、前記シフト切替装置のフェール検出に基づいて前記動力伝達の遮断を行うことを特徴とする車両の制御装置。
【請求項３】
シフトレンジをアクチュエータによって切り替えるバイワイヤ方式のシフト切替装置が搭載された車両の制御装置であって、
前記車両の駆動源から駆動輪への動力伝達を遮断する油圧式の動力遮断手段と、前記動力遮断手段の作動油の油温を検出する油温検出手段と、前記シフト切替装置のフェールを検出するフェール検出手段とを備え、前記作動油の油温が予め設定された閾値よりも低い場合には、前記シフト切替装置のフェール検出の前に前記動力伝達の遮断を行うことを特徴とする車両の制御装置。
【請求項４】
請求項１〜３のいずれか一つに記載の車両の制御装置において、
前記車両に搭載された油圧式の自動変速機の摩擦係合要素を解放することにより前記動力伝達の遮断を行うことを特徴とする車両の制御装置。
【請求項５】
請求項４記載の車両の制御装置において、
前記自動変速機の作動油の油温を検出する油温検出手段を備え、現在のシフトレンジがドライブレンジまたはリバースレンジのときに、シフト切替要求があったときの前記作動油の油温が予め設定された閾値よりも低い場合には、前記自動変速機の摩擦係合要素をシフト切替要求と同時に解放して前記動力伝達の遮断を行い、前記作動油の油温が前記閾値以上である場合は、前記シフト切替装置のフェールを検出した時点で前記自動変速機の摩擦係合要素を解放して前記動力伝達の遮断を行うことを特徴とする車両の制御装置。
【発明の詳細な説明】
【技術分野】
【０００１】
本発明は、自動変速機のシフトレンジをアクチュエータによって切り替えるバイワイヤ方式のシフト切替装置が搭載された車両の制御装置に関する。
【背景技術】
【０００２】
エンジン（内燃機関）を搭載した車両において、エンジンが発生するトルク及び回転速度を車両の走行状態に応じて適切に駆動輪に伝達する変速機として、エンジンと駆動輪との間の変速比を自動的に最適設定する自動変速機が知られている。
【０００３】
車両に搭載される自動変速機としては、例えば、クラッチ及びブレーキと遊星歯車装置とを用いてギヤ段を設定する遊星歯車式変速機や、変速比を無段階に調整するベルト式無段変速機（ＣＶＴ：Ｃｏｎｔｉｎｕｏｕｓｌｙ  Ｖａｒｉａｂｌｅ  Ｔｒａｎｓｍｉｓｓｉｏｎ）がある。
【０００４】
遊星歯車式の自動変速機が搭載された車両においては、車速とスロットル開度（またはアクセル開度）に応じた最適なギヤ段を得るための変速線（ギヤ段の切り替えライン）を有する変速マップがＥＣＵ（Ｅｌｅｃｔｒｏｎｉｃ  Ｃｏｎｔｒｏｌ  Ｕｎｉｔ）等に記憶されており、車速及びスロットル開度に基づいて変速マップを参照して目標ギヤ段を算出し、その目標ギヤ段に基づいて、摩擦係合要素であるクラッチ、ブレーキ及びワンウェイクラッチなどを、所定の状態に係合または解放することによってギヤ段（変速段）を自動的に設定している。
【０００５】
また、ベルト式無段変速機は、プーリ溝（Ｖ溝）を備えたプライマリプーリ（入力側プーリ）とセカンダリプーリ（出力側プーリ）とにベルトを巻き掛け、一方のプーリのプーリ溝の溝幅を拡大すると同時に、他方のプーリのプーリ溝の溝幅を狭くすることにより、それぞれのプーリに対するベルトの巻き掛け半径（有効径）を連続的に変化させて変速比を無段階に設定するように構成されている。
【０００６】
このような自動変速機を制御する制御装置として、自動変速機のシフトレンジの位置をセンサによって電気的に検出し、この検出信号に基づいてシフト切替用の電動モータ等のアクチュエータを駆動して自動変速機のマニュアルバルブを切り替えることにより、Ｐ（パーキング）、Ｒ（リバース）、Ｎ（ニュートラル）、Ｄ（ドライブ）などのシフトポジションを切り替える、いわゆるバイワイヤ方式のシフト切替装置がある（例えば、特許文献１参照）。
【０００７】
そして、このようなバイワイヤ方式のシフト切替装置では、一般的なシフト切替装置つまり自動変速機のシフトレンジを運転者によるシフトレバー操作によって直接切り替える方式のシフト切替装置のように、シフトレバーとシフトレンジ切替機構とを機械的に接続する必要がないので、これらの各部を車両に搭載する際のレイアウト上に制限がなく、設計の自由度を高めることができる。また、車両への組み付け作業も簡単に行うことができるという利点がある。
【０００８】
バイワイヤ方式のシフト切替装置が搭載された車両において、シフト切替に異常が発生した際のフェールセーフ制御として下記の特許文献２に記載の技術がある。
【０００９】
この特許文献２に記載の技術では、シフトバイワイヤ式の制御を用いた自動変速機において、運転者のシフト選択スイッチ操作による変速レンジ位置（目標レンジ位置）と自動変速機の実レンジ位置とを比較し、両者が不一致となった場合に自動変速機に異常が発生したと判断する。そして、自動変速機が異常と判断した場合には、エンジンの出力軸から自動変速機を介して駆動輪へと至るまでの間の動力伝達経路を遮断することで、運転者が選択したシフト位置とは異なるシフトレンジ位置での車両移動を防止している。
【００１０】
なお、この特許文献２に記載の技術では、例えば、自動変速機の前進用の摩擦係合要素（クラッチ）または後進用の摩擦係合要素（クラッチ及びブレーキ）を解放することで動力伝達経路を遮断している。
【特許文献１】特開２０００−１７０９０５号公報
【特許文献１】特開２００４−１２５０６１号公報
【発明の開示】
【発明が解決しようとする課題】
【００１１】
ところで、バイワイヤ方式のシフト切替装置が搭載された車両においては、上記したように、シフト切替フェール（例えば目標レンジ位置と実レンジ位置とが不一致）が発生した際に動力伝達を遮断（以下、動力遮断ともいう）するフェールセーフ制御を行っているが、シフト切替フェールが発生したときの状況によっては動力遮断が遅れる場合がある。
【００１２】
例えば、自動変速機のクラッチやブレーキ等の摩擦係合要素（以下、摩擦係合要素を単に「クラッチ」という場合もある）を解放して動力伝達の遮断を行う場合、シフト切替フェール発生時の自動変速機の作動油が低温（例えば氷点下）であると、作動油の粘度が高くなり応答性が悪化するため、クラッチ解放（動力遮断）までに時間がかかってしまう。このようにクラッチ解放のタイムラグ（解放指示から実解放完了までの期間）が大きいと、シフト切替フェール発生時にクラッチ解放が間に合わず、車両移動（シフト切替要求とは異なる形態の車両移動）により運転者が違和感を感じるおそれがある。
【００１３】
この点を考慮して、自動変速機のクラッチを早期に解放する制御を実施すると、作動油が低油温以外の状況のときに、自動変速機の解放側のクラッチが通常制御よりも早く解放してしまい、正常時（シフト切替正常時）にショックが発生することが懸念される。具体的には、例えば、現在のシフトレンジがＲレンジで、自動変速機の後進用のクラッチが係合している状態で、Ｒレンジ→Ｄレンジのシフト切替要求があった場合に、後進用のクラッチの解放（クラッチ抜け）が通常制御時よりも早いと、後進用のクラッチを完全に解放した状態（ニュートラル状態）で前進用のクラッチの係合が開始されるため、その前進用のクラッチ係合時にショック（ガレージショック）が発生する場合がある。また、Ｄレンジ→Ｒレンジのシフト切替要求があった場合にも、同様にガレージショックが発生する場合がある。
【００１４】
本発明はそのような実情を考慮してなされたもので、自動変速機のシフトレンジをアクチュエータによって切り替えるバイワイヤ方式のシフト切替装置が搭載された車両の制御装置において、シフト切替フェール時の動力伝達の遮断を適切なタイミングで行うことが可能な制御を実現することを目的とする。
【課題を解決するための手段】
【００１７】
本発明は、シフトレンジをアクチュエータによって切り替えるバイワイヤ方式のシフト切替装置が搭載された車両の制御装置を前提とし、この車両の制御装置に対し、前記車両の駆動源から駆動輪への動力伝達を遮断する油圧式の動力遮断手段と、前記動力遮断手段の作動油の油温を検出する油温検出手段と、前記シフト切替装置のフェール（以下、シフト切替フェールともいう）を検出するフェール検出手段とを設け、前記作動油の油温が予め設定された閾値よりも低い場合には、前記フェール検出結果に関わらず、前記動力伝達の遮断を行う。より具体的には、作動油の油温が前記閾値以上である場合には、前記フェール検出に基づいて前記動力伝達の遮断を行うようにする。
【００１８】
また、他の構成として、シフトレンジをアクチュエータによって切り替えるバイワイヤ方式のシフト切替装置が搭載された車両の制御装置に対し、前記車両の駆動源から駆動輪への動力伝達を遮断する油圧式の動力遮断手段と、前記動力遮断手段の作動油の油温を検出する油温検出手段と、前記シフト切替装置のフェールを検出するフェール検出手段とを設け、前記作動油の油温が予め設定された閾値よりも低い場合には、前記シフト切替異常の検出の前に前記動力伝達の遮断を行うという構成を挙げることができる。
【００１９】
これらの構成の車両の制御装置によれば、駆動源から駆動輪に動力が伝達されている状況でシフト切替要求があったときに、そのシフト切替要求時の作動油の油温が閾値未満（例えば氷点下）である場合、通常制御時よりも早いタイミングで前記動力伝達を遮断する（具体的には、シフト切替要求と同時に動力遮断する）ので、動力遮断の動作遅れが生じることがなくなる。これによって低油温時にシフト切替フェールが発生しても、動力伝達の遮断を適切なタイミングで行うことが可能になる。
【００２０】
次に、本発明のより具体的な構成について、車両に搭載された自動変速機の摩擦係合要素（クラッチ）を解放することにより前記動力伝達の遮断を行う場合を例にとって説明する。なお、この場合、自動変速機の作動油の油温を検出して制御を行う。
【００２１】
まず、自動変速機の現在のシフトレンジが、例えばリバースレンジ（Ｒレンジ）に設定されている状況で、シフト切替要求［Ｒレンジ→ドライブレンジ（Ｄレンジ）］があった場合、そのシフト切替要求時の油温が閾値未満（例えば氷点下）であるときには、シフト切替要求と同時に、自動変速機の解放側のクラッチを解放し、ニュートラル状態にして動力伝達を遮断する。このように作動油が低温であるときには、シフト切替要求と同時に自動変速機のクラッチ解放（油圧解放）を行うことにより、低油温時にシフト切替フェールが発生しても、車両の移動（後進）を防止することができ、運転者が違和感を感じるおそれがなくなる。
【００２２】
一方、作動油が低油温以外の状況（閾値以上）のときには、クラッチ解放の応答性が良いので、シフト切替フェールを検出した後にクラッチ解放（動力遮断）を行っても、クラッチ解放遅れが生じることがなく、車両の移動（後進）を防止することができる（フェール時の通常制御）。そして、作動油が低油温以外の状況でシフト切替装置が正常なときには、シフトレンジ切替［Ｒレンジ→Ｄレンジ］に適した通常制御で自動変速機の解放側のクラッチ（後進用のクラッチ）を解放することで、係合側のクラッチ（前進用のクラッチ）の係合時のショック（ガレージショック）を抑制することができる。
【発明の効果】
【００２３】
本発明によれば、自動変速機のシフトレンジをアクチュエータによって切り替えるバイワイヤ方式のシフト切替装置が搭載された車両の制御装置において、車両の駆動源から駆動輪への動力伝達を遮断するための作動油の温度状態に大きく左右されることなく、シフト切替フェール時の動力伝達の遮断を適切なタイミングで行うことができる。
【発明を実施するための最良の形態】
【００２４】
以下、本発明の実施形態を図面に基づいて説明する。
【００２５】
図１は車両に搭載されるバイワイヤ方式のシフト切替装置の概略構成を示すブロック図である。
【００２６】
この例のシフト切替装置１は、車両に搭載された自動変速機３のシフトレンジを切り替える装置であって、車両電源スイッチ１１、Ｐスイッチ１２、シフトスイッチ１３、表示部１４、メータ１５、シフトレンジ切替機構１００、このシフトレンジ切替機構１００を駆動するモータ１０１、モータ１０１のロータの回転角を検出するエンコーダ１０３、ＮＳＷ（非接触ニュートラルスイッチ）センサ１０４、及び、ＳＢＷ＿ＥＣＵ（Ｓｈｉｆｔ  ｂｙ  Ｗｉｒｅ＿ＥＣＵ）２００などを備えている。シフト切替装置１は、電気制御により自動変速機３のシフトレンジを切り替えるシフトバイワイヤ装置として機能する。
【００２７】
車両電源スイッチ１１は車両電源のＯＮ／ＯＦＦを切り替えるためのスイッチである。車両電源スイッチ１１は、特に限定されるものではないが、例えばイグニッションスイッチである。車両電源スイッチ１１が運転者などのユーザから受け付けた指示はＳＢＷ＿ＥＣＵ２００に伝達される。そして、車両電源スイッチ１１がＯＮに操作されると、車両に搭載されたバッテリ（図示せず）から電力が供給されてシフト切替装置１が起動する。
【００２８】
Ｐスイッチ１２は、シフトレンジをパーキング以外のレンジ（非Ｐレンジ）からパーキングレンジ（Ｐレンジ）へ切り替えるためのスイッチであって、スイッチの状態を運転者に示すためのインジケータ１２ａ、及び、運転者からの指示を受け付ける入力部１２ｂなどを備えており、運転者による入力部１２ｂの操作（ＯＮ操作）により、シフトレンジをＰレンジに入れる指示を入力することができる。この入力部１２ｂの操作による指示（Ｐレンジに入れる指示）はＳＢＷ＿ＥＣＵ２００に入力される。なお、入力部１２ｂとしては、例えばモーメンタリスイッチを挙げることができる。
【００２９】
シフトスイッチ１３は、運転者によって操作されるスイッチであって、このシフトスイッチ１３の操作により、自動変速機３のシフトレンジを、Ｐレンジ、リバースレンジ（Ｒレンジ）、ニュートラルレンジ（Ｎレンジ）、ドライブレンジ（Ｄレンジ）に切り替えことができる。また、シフトレンジがＰレンジに入っているときには、そのＰレンジの解除を行うことができる。シフトスイッチ１３が運転者によって操作されたときには、その操作情報がＳＢＷ＿ＥＣＵ２００に入力される。
【００３０】
表示部１４は運転者に対する指示や警告などを表示する。メータ１５は車両の機器の状態やシフトレンジの状態などを表示する。これら表示部１４及びメータ１５の各表示はＳＢＷ＿ＥＣＵ２００によって制御される。
【００３１】
ＮＳＷセンサ１０４は、後述するシフトレンジ切替機構１００の出力軸１０５（図４参照）の回転角度に応じて出力信号（出力電圧）がリニアに変化する回転角度センサ（例えばポテンショメータ）によって構成されており、その出力信号によって現在の出力軸１０５の回転角度（後述するディテントレバー１０６の回転角度）を検出することができる。また、ＮＳＷセンサ１０４の出力信号からシフトレンジ位置を検出することができる。ＮＳＷセンサ１０４にて検出された回転角度はＳＢＷ＿ＥＣＵ２００に入力される。
【００３２】
ＳＢＷ＿ＥＣＵ２００は、マイクロコンピュータを主体に構成された電子制御ユニットであって、ＣＰＵ、ＲＯＭ、ＲＡＭ、及び、バックアップＲＡＭなどを備えている。ＲＯＭは、シフト切替装置１のアクチュエータであるモータ１０１の駆動制御を含む各種制御のプログラムや、それら各種制御プログラムを実行する際に参照されるマップ等が記憶されている。ＣＰＵは、ＲＯＭに記憶された各種制御プログラムやマップに基づいて演算処理を実行する。また、ＲＡＭはＣＰＵでの演算結果やセンサ等から入力されたデータなどを一時的に記憶するメモリであり、バックアップＲＡＭは不揮発性のメモリである。
【００３３】
そして、ＳＢＷ＿ＥＣＵ２００は、シフト切替装置１の動作を統括的に管理する。例えば、ＳＢＷ＿ＥＣＵ２００は、シフトレンジをＰレンジと非Ｐレンジとの間で切り替えるために、レンジ切替機構１００（図４）のモータ１０１を駆動制御するとともに、現在のシフトレンジの状態をインジケータ１２ａに表示する。具体的には、例えばシフトレンジが非Ｐレンジであるときに、運転者が入力部１２ｂを操作（スイッチＯＮ）すると、ＳＢＷ＿ＥＣＵ２００は、シフトレンジをＰレンジに切り替えるとともに、インジケータ１２ａに現在のシフトレンジがＰレンジである旨を表示する。
【００３４】
さらに、ＳＢＷ＿ＥＣＵ２００は、運転者によるシフトスイッチ１３の操作によって指示されたシフトレンジに応じて、自動変速機３のシフトレンジを切り替える制御（モータ１０１の駆動制御）を行なうとともに、現在のシフトレンジの状態をメータ１５に表示する。さらに、ＳＢＷ＿ＥＣＵ２００は運転者に対する指示や警告などを表示部１４に表示する。
【００３５】
ＳＢＷ＿ＥＣＵ２００は、ＥＣＴ＿ＥＣＵ（Ｅｌｅｃｔｒｏｎｉｃ  Ｃｏｎｔｒｏｌｌｅｄ  ａｕｔｏｍａｔｉｃ  Ｔｒａｎｓｍｉｓｓｉｏｎ＿ＥＣＵ）３００にデータ通信可能な状態で接続されており、後述するシフト位置情報及びクラッチ解放指示などをＥＣＴ＿ＥＣＵ３００に送信する。ＥＣＴ＿ＥＣＵ３００は、主に自動変速機３を制御するための電子制御ユニットである。ＥＣＴ＿ＥＣＵ３００も、ＣＰＵ、ＲＯＭ、ＲＡＭ、及び、バックアップＲＡＭなどを備えている。また、ＳＢＷ＿ＥＣＵ２００には油温センサ１６が接続されている。油温センサ１６は、自動変速機３のバルブボディに設置されており、当該自動変速機３の作動油（ＡＴＦ）の油温を検出する。
【００３６】
次に、自動変速機３、シフトレンジ切替機構１００、及び、シフト切替制御について説明する。
【００３７】
−自動変速機−
自動変速機３（トルクコンバータ２も含む）の概略構成を図２を参照して説明する。なお、この自動変速機３は中心線に対して略対称的に構成されており、図２では中心線の下半分が省略されている。
【００３８】
まず、自動変速機３の入力側にはトルクコンバータ２が設けられている。トルクコンバータ２は、入力軸側のポンプ羽根車２１と、出力軸側のタービン羽根車２２と、トルク増幅機能を発現するステータ２３と、ワンウェイクラッチ２４とを備え、ポンプ羽根車２１とタービン羽根車２２との間で流体を介して動力伝達を行う。
【００３９】
トルクコンバータ２には、入力側と出力側とを直結状態にするロックアップクラッチ２５が設けられており、このロックアップクラッチ２５を完全係合させることにより、ポンプ羽根車２１とタービン羽根車２２とが一体回転する。また、ロックアップクラッチ２５を所定のスリップ状態で係合させることにより、駆動時には所定のスリップ量でタービン羽根車２２がポンプ羽根車２１に追随して回転する。トルクコンバータ２と自動変速機３とは回転軸によって接続される。
【００４０】
自動変速機３は、ダブルピニオン型の第１遊星歯車装置３１、シングルピニオン型の第２遊星歯車装置３２、及び、シングルピニオン型の第３遊星歯車装置３３を備えた遊星歯車式の変速機である。自動変速機３の出力軸３４から出力される動力は、プロペラシャフト、デファレンシャルギヤ及びドライブシャフト等を介して駆動輪に伝達される。
【００４１】
自動変速機３の第１遊星歯車装置３１のサンギヤＳ１はクラッチＣ３を介して入力軸３０に選択的に連結される。また、サンギヤＳ１は、ワンウェイクラッチＦ２及びブレーキＢ３を介してハウジングに選択的に連結され、逆方向（入力軸３０の回転と反対方向）の回転が阻止される。第１遊星歯車装置３１のキャリアＣＡ１は、ブレーキＢ１を介してハウジングに選択的に連結されるとともに、そのブレーキＢ１と並列に設けられたワンウェイクラッチＦ１により、常に逆方向の回転が阻止される。第１遊星歯車装置３１のリングギヤＲ１は、第２遊星歯車装置３２のリングギヤＲ２と一体的に連結されており、ブレーキＢ２を介してハウジングに選択的に連結される。
【００４２】
第２遊星歯車装置３２のサンギヤＳ２は、第３遊星歯車装置３３のサンギヤＳ３と一体的に連結されており、クラッチＣ４を介して入力軸３０に選択的に連結される。また、サンギヤＳ２は、ワンウェイクラッチＦ０及びクラッチＣ１を介して入力軸３０に選択的に連結され、その入力軸３０に対して相対的に逆方向へ回転することが阻止される。
【００４３】
第２遊星歯車装置３２のキャリアＣＡ２は、第３遊星歯車装置３３のリングギヤＲ３と一体的に連結されており、クラッチＣ２を介して入力軸３０に選択的に連結されるとともに、ブレーキＢ４を介してハウジングに選択的に連結される。また、キャリアＣＡ２は、ブレーキＢ４と並列に設けられたワンウェイクラッチＦ３によって、常に逆方向の回転が阻止される。そして、第３遊星歯車装置３３のキャリアＣＡ３は出力軸３４に一体的に連結されている。
【００４４】
以上の自動変速機３のクラッチＣ１〜Ｃ４、ブレーキＢ１〜Ｂ４、及び、ワンウェイクラッチＦ０〜Ｆ３の係合・解放状態を図３の作動表に示す。図３の作動表において「○」は「係合」を表し、「空欄」は「解放」を表している。また、「◎」は「エンジンブレーキ時の係合」を表し、「△」は「動力伝達に関係しない係合」を表している。
【００４５】
図３に示すように、この例の自動変速機３において、前進段（Ｄ）の１速（１ｓｔ）では、クラッチＣ１が係合され、ワンウェイクラッチＦ０，Ｆ３が作動する。前進段の２速（２ｎｄ）では、クラッチＣ１及び第３ブレーキＢ３が係合され、ワンウェイクラッチＦ０，Ｆ１，Ｆ２が作動する。
【００４６】
前進段の３速（３速段：３ｒｄ）では、クラッチＣ１，Ｃ３が係合されるとともに、ブレーキＢ３が係合され、第１ワンウェイクラッチＦ０，Ｆ１が作動する。前進段の４速（４ｔｈ）では、クラッチＣ１，Ｃ２，Ｃ３が係合されるとともに、ブレーキＢ３が係合され、ワンウェイクラッチＦ０が作動する。
【００４７】
前進段の５速（５ｔｈ）では、クラッチＣ１，Ｃ２，Ｃ３が係合されるとともに、ブレーキＢ１，Ｂ３が係合される。前進段の６速（６ｔｈ）では、クラッチＣ１，Ｃ２が係合されるとともに、ブレーキＢ１，Ｂ２，Ｂ３が係合される。
【００４８】
一方、後進段（Ｒｅｖ）では、クラッチＣ３が係合されるとともに、ブレーキＢ４が係合され、ワンウェイクラッチＦ１が作動する。
【００４９】
以上のように、この例の自動変速機３では、摩擦係合要素であるクラッチＣ１〜Ｃ４、ブレーキＢ１〜Ｂ４、及び、ワンウェイクラッチＦ０〜Ｆ３などが、所定の状態に係合または解放されることによってギヤ段（変速段）が設定される。クラッチＣ１〜Ｃ４、ブレーキＢ１〜Ｂ４の係合・解放は油圧制御回路３０１によって制御される。
【００５０】
油圧制御回路３０１には、シフト切替装置１によって駆動されるマニュアルバルブ３０２、リニアソレノイドバルブ及びオンオフソレノイドバルブ（図示せず）などが設けられており、それらソレノイドバルブの励磁・非励磁の制御、あるいは、シフト切替装置１によるマニュアルバルブ３０２の切替制御によって油圧制御回路３０１が切り替えられることにより、自動変速機３のクラッチＣ１〜Ｃ４、ブレーキＢ１〜Ｂ４の係合・解放を制御することができる。
【００５１】
油圧制御回路３０１のリニアソレノイドバルブ及びオンオフソレノイドバルブの励磁・非励磁は、ＥＣＴ＿ＥＣＵ３００からのソレノイド制御信号（指示油圧信号）によって制御される。
【００５２】
なお、ＥＣＴ＿ＥＣＵ３００は、トルクコンバータ２にロックアップクラッチ制御信号を出力する。このロックアップクラッチ制御信号に基づいてロックアップクラッチ２５の係合圧が制御される。また、ＥＣＵ１００は、自動変速機３の油圧制御回路３０１にソレノイド制御信号（油圧指令信号）を出力する。このソレノイド制御信号に基づいて、油圧制御回路３０１のリニアソレノイドバルブやオンオフソレノイドバルブなどが制御され、所定の変速ギヤ段（１速〜６速）を構成するように、クラッチＣ１〜Ｃ４、ブレーキＢ１〜Ｂ４、及び、ワンウェイクラッチＦ０〜Ｆ３などが、所定の状態に係合または解放される。
【００５３】
さらに、ＥＣＴ＿ＥＣＵ３００は、ＳＢＷ＿ＥＣＵ２００からクラッチ解放指示が送信されたときには、自動変速機３の摩擦係合要素を解放してエンジンから駆動輪への動力伝達を遮断する。例えば、現在のシフトレンジが「Ｄレンジ」である場合、クラッチＣ１を解放して自動変速機３をニュートラル状態（動力伝達遮断状態）にする。また、現在のシフトレンジが「Ｒレンジ」である場合、クラッチＣ３及びブレーキＢ４を解放して自動変速機３をニュートラル状態（動力伝達遮断状態）にする。
【００５４】
−シフトレンジ切替機構−
次に、シフトレンジ切替機構１００について図４を参照して説明する。
【００５５】
この例のシフトレンジ切替機構１００は、自動変速機３のシフトレンジを、Ｐレンジ、Ｒレンジ、Ｎレンジ、Ｄレンジに切り替える機構である。このシフトレンジ切替機構１００の駆動源となるモータ１０１は、例えばスイッチトリラクタンスモータ（ＳＲモータ）等の同期モータであって、減速機構１０２が設けられている。また、モータ１０１には、ロータの回転角を検出するエンコーダ１０３が設けられている。エンコーダ１０３は、例えば磁気式のロータリエンコーダにより構成されており、モータ１０１のロータの回転に同期してパルス信号をＳＢＷ＿ＥＣＵ２００に出力する。
【００５６】
減速機構１０２の回転軸には出力軸１０５が嵌合連結されており、この出力軸１０５の回転角を検出するＮＳＷセンサ１０４が設けられている。出力軸１０５には、自動変速機３の油圧制御回路３０１のマニュアルバルブ３０２を切り替えるためのディテントレバー１０６が固定されている。
【００５７】
ディテントレバー１０６には、マニュアルバルブ３０２のスプール弁３０３が連結されており、モータ１０１によって出力軸１０５と一体にディテントレバー１０６を回動させることで、マニュアルバルブ３０２の操作量（スプール弁３０３の位置）を切り替えて、自動変速機３のレンジを、Ｐレンジ、Ｒレンジ、Ｎレンジ、Ｄレンジのいずれかに切り替える。
【００５８】
ディテントレバー１０６には、マニュアルバルブ３０２のスプール弁３０３を、Ｐレンジ、Ｒレンジ、Ｎレンジ、Ｄレンジの各レンジに対応する位置に保持するための４個の凹部１０６ａが形成されている。
【００５９】
ディテントレバー１０６の上方にディテントスプリング（板ばね）１０７が配置されている。ディテントスプリング１０７はマニュアルバルブ３０２に片持ち支持で固定されている。ディテントスプリング１０７の先端部にはローラ１０８が取り付けられている。ローラ１０８はディテントスプリング１０７の弾性力によってディテントレバー１０６に押圧されている。そして、ローラ１０８がディテントレバー１０６の目標シフトレンジの凹部１０６ａに嵌まり込むことで、ディテントレバー１０６が目標シフトレンジの回転角度で保持されて、マニュアルバルブ３０２のスプール弁３０３の位置が目標シフトレンジの位置で保持されるようになっている。
【００６０】
一方、ディテントレバー１０６には、Ｌ字形のパーキングロッド１０９が固定されている。パーキングロッド１０９の先端部には円錐テーパ状のカム１１０が設けられており、このカム１１０の外周面（カム面）にロックレバー１１１が当接している。ロックレバー１１１はカム１１０の位置に応じて回転軸１１２を中心にして上下動し、その上下動によってロックレバー１１１のロック爪１１１ａがパーキングギヤ１１３に係合し、または、パーキングギヤ１１３からロック爪１１１ａが外れることにより、パーキングギヤ１１３の回転をロック／ロック解除するように構成されている。そして、パーキングギヤ１１３は、自動変速機３の出力軸３４に設けられており、このパーキングギヤ１１３がロックレバー１１１によってロックされると、車両の駆動輪が回り止めされた状態（パーキング状態）に保持される。
【００６１】
以上のシフトレンジ切替機構１００において、Ｐレンジでは、パーキングロッド１０９がロックレバー１１１に接近する方向に移動して、カム１１０の大径部分がロックレバー１１１を押し上げてロックレバー１１１のロック爪１１１ａがパーキングギヤ１１３に嵌まり込んでパーキングギヤ１１３をロックした状態となり、これによって自動変速機３の出力軸（駆動輪）３４がロックされた状態（パーキング状態）に保持される。
【００６２】
一方、Ｐレンジ以外のシフトレンジでは、パーキングロッド１０９がロックレバー１１１から離れる方向に移動し、この移動に伴って、ロックレバー１１１のカム１１０への接触部分が大径部分から小径部分に移動してロックレバー１１１が下降する。これによってロックレバー１１１のロック爪１１１ａがパーキングギヤ１１３から外れてパーキングギヤ１１３のロックが解除され、自動変速機３の出力軸３４が回転可能な状態（走行可能な状態）に保持される。
【００６３】
以上説明したシフト切替装置１が搭載された車両において、運転者がシフトスイッチ１３を操作すると、ＳＢＷ＿ＥＣＵ２００は、シフトスイッチ１３で選択されたシフトレンジに対応する目標回転角（エンコーダカウント値の目標値）を設定して、モータ１０１への通電を開始し、モータ１０１の検出回転角（エンコーダカウント値）が目標回転角と一致する位置で停止するようにモータ１０１をフィードバック制御（Ｆ／Ｂ制御）する。
【００６４】
さらに、ＳＢＷ＿ＥＣＵ２００は、ＮＳＷセンサ１０４の出力信号を読み込んで、その出力信号に基づいて現在の出力軸１０５の回転角（マニュアルバルブ３０２の操作量）、つまり、現在のレンジがＰレンジ、Ｒレンジ、Ｎレンジ、Ｄレンジのいずれであるかを判定して、この判定結果とシフト操作により選択されたシフトレンジ（目標シフトレンジ）とを照合してシフトレンジの切り替えが正常に行われたか否かを判断する。
【００６５】
−シフト切替制御−
次に、この例で実行するシフト切替制御（フェールセーフ制御も含む）について、図５のフローチャート及び図６のタイミングチャートを参照して説明する。図５の制御ルーチンはＳＢＷ＿ＥＣＵ２００において所定時間毎に繰り返して実行される。
【００６６】
ステップＳＴ１において、ＮＳＷセンサ１０４の出力信号に基づいて現在のシフトレンジが「Ｄレンジ」または「Ｒレンジ」であるのか否かを判定する。その判定結果が肯定判定である場合（例えば現在のシフトレンジが「Ｒレンジ」である場合）、ステップＳＴ２に進む。ステップＳＴ１の判定結果が否定判定である場合はこのルーチンを一旦抜ける。
【００６７】
ステップＳＴ２では、シフトレンジの切替要求があるか否かを判定する。具体的には、シフトスイッチ１３やＰスイッチ１２からの信号に基づいて運転者がシフトレンジの切替操作を行ったか否かを判定する。ステップＳＴ２の判定結果が否定判定である場合（シフト切替要求がない場合）はこのルーチンを一旦抜ける。ステップＳＴ２の判定結果が肯定判定である場合（シフト切替要求がある場合）はステップＳＴ３に進む。なお、シフトレンジの切替要求（例えばＲレンジ→Ｄレンジ）があったときに、その要求されたシフトレンジ（例えばＤレンジ）を、以下、「目標シフトレンジ」という。
【００６８】
ステップＳＴ３では、油温センサ１６の出力信号に基づいて油温（自動変速機３の作動油の油温）を採取し、その採取した油温が閾値ＴＨＯ（例えば氷点）以上であるか否かを判定する。ステップＳＴ３の否定判定である場合つまり油温が低温である場合（油温＜ＴＨＯ）は、シフト切替要求と同時に自動変速機３のクラッチを解放すべく、ＥＣＴ＿ＥＣＵ３００にクラッチ解放指示を送信する（ステップＳＴ１１）。
【００６９】
ＥＣＴ＿ＥＣＵ３００は、ＳＢＷ＿ＥＣＵ２００からのクラッチ解放指示を受信した時点で、自動変速機３の指示油圧をクラッチ解放油圧（図６（ａ）参照）に設定して自動変速機３のクラッチ解放を実施する。例えば、現在のシフトレンジが「Ｒレンジ」である場合、シフト切替要求と同時に、自動変速機３のクラッチＣ３及びブレーキＢ４を解放し、自動変速機３をニュートラル状態にして動力伝達を遮断する。この動力伝達遮断後（クラッチ解放指示後）、シフト切替装置１の切替が正常（低温時・正常）である場合、モータ１０１の制御を実施する。
【００７０】
具体的には、ステップＳＴ１２において、シフト切替装置１のシフト切替が正常であるか否かを判定し、その判定結果が肯定判定である場合はステップＳＴ１３に進む。ステップＳＴ１２の判定結果が否定判定である場合は、このルーチンを一旦抜ける。なお、シフト切替の正常／異常の判定（フェール検出）については後述する。
【００７１】
ステップＳＴ１３ではレンジ切替機構１００のモータ１０１のフィードバック制御（Ｆ／Ｂ制御）を実施する。具体的には、モータ１０１の検出回転角（エンコーダカウント値）が、上記目標シフトレンジに対応する目標回転角（エンコーダカウント値の目標値）に一致するようにモータ１０１をフィードバック制御する。そして、このモータ１０１のフィードバック制御を実施した後、ＮＳＷセンサ１０４の出力信号に基づいて、目標シフトレンジ位置への切り替えが完了した否かを判定し（ステップＳＴ１４）、その判定結果が肯定判定となったときに、このルーチンを一旦抜ける。
【００７２】
なお、ステップＳＴ３において、油温センサ１６の出力信号に基づく油温検出が不可である場合、シフト切替要求と同時に自動変速機３のクラッチを解放する。
【００７３】
一方、ステップＳＴ３の判定結果が肯定判定である場合（油温≧ＴＨＯ）、ステップＳＴ４に進む。ステップＳＴ４では、シフト切替装置１のシフト切替が正常であるか否かを判定し、その判定結果が肯定判定である場合はステップＳＴ５に進む。なお、シフト切替の正常／異常の判定（フェール検出）については後述する。
【００７４】
ステップＳＴ５ではレンジ切替機構１００のモータ１０１のフィードバック制御（Ｆ／Ｂ制御）を実施する。具体的には、モータ１０１の検出回転角（エンコーダカウント値）が、上記目標シフトレンジに対応する目標回転角（エンコーダカウント値の目標値）に一致するようにモータ１０１をフィードバック制御する。このモータ１０１のフィードバック制御を実施した後、ＮＳＷセンサ１０４の出力信号に基づいて、目標シフトレンジ位置への切り替えが完了した否かを判定する（ステップＳＴ６）。その判定結果が肯定判定である場合、ＥＣＴ＿ＥＣＵ３００にクラッチ解放を指示する（ステップＳＴ７）。ＥＣＴ＿ＥＣＵ３００は、ＳＢＷ＿ＥＣＵ２００からのクラッチ解放指示に応じて自動変速機３のクラッチを解放する。例えば、現在のシフトレンジが「Ｒレンジ」である場合、自動変速機３のクラッチＣ３及びブレーキＢ３を解放する。また、ステップＳＴ２でのシフト切替要求が［Ｒレンジ→Ｄレンジ］である場合、自動変速機３のクラッチＣ３及びブレーキＢ３を解放するとともに、クラッチＣ１を係合する。
【００７５】
なお、シフト切替要求が［Ｒレンジ→Ｎレンジ］または［Ｒレンジ→Ｐレンジ］である場合、自動変速機３のクラッチＣ３及びブレーキＢ３を解放した後、ニュートラル状態を維持する。
【００７６】
−正常／異常の判定−
ここで、この例において、シフトレンジの切替要求（ステップＳＴ２が肯定判定）があった後、一定時間（正常時のモータ１０１の作動時間（切替時間）よりも長い時間）が経過しても、ＮＳＷセンサ１０４にて検出される実際のシフトレンジが目標シフトレンジに一致しない場合は、シフト切替装置１がフェールしていると判定する（フェール検出）。一方、シフトレンジの切替要求後、一定時間（正常時のモータ１０１の作動時間よりも長い時間）以内に実際のシフトレンジが目標シフトレンジに一致した場合には、シフト切替装置１が正常であると判定する。このような判定処理はステップＳＴ４とステップＳＴ１２とで実行される。
【００７７】
ステップＳＴ４の判定結果が否定判定である場合（フェール検出の場合）はステップＳＴ８に進む。ステップＳＴ８では、ＥＣＴ＿ＥＣＵ３００にクラッチ解放を指示する。ＥＣＴ＿ＥＣＵ３００は、ＳＢＷ＿ＥＣＵ２００からのクラッチ解放指示に応じて自動変速機３のクラッチを解放する。例えば、現在のシフトレンジが「Ｒレンジ」である場合、自動変速機３のクラッチＣ３及びブレーキＢ３を解放し、自動変速機３をニュートラル状態にして動力伝達を遮断する。
【００７８】
ステップＳＴ１２の判定結果が否定判定である場合（フェール検出の場合）は、シフト切替装置１の切り替えを実施せずに、このルーチンを一旦抜ける。なお、このステップＳＴ１２と上記したステップＳＴ４とがフェール検出手段に相当する。
【００７９】
以上のように、この例のシフト切替制御によれば、自動変速機３の作動油が低温であると作動油の粘度が高くてクラッチ解放の応答性（クラッチ実油圧の応答性）が悪くなる点を考慮し、図６（ａ）に示すように、シフト切替要求時の油温が低温である場合、シフト切替フェールの検出結果に関係なく、シフト切替要求と同時にクラッチ解放指示を出して自動変速機３のクラッチを解放するので（ステップＳＴ３、ＳＴ１１）、油温低温時のクラッチ解放遅れを解消することができ、車両移動を防止することができる。
【００８０】
一方、シフト切替装置１が正常時で作動油が低油温以外の状況のときには、図６（ｂ）に示すように、シフト切替装置１のモータ１０１の作動が完了（目標シフトレンジへの切り替えが完了）した時点、つまり、通常制御のタイミングでクラッチ解放指示を出して自動変速機３のクラッチを解放するので（ステップＳＴ３〜ＳＴ７）、自動変速機３の解放側のクラッチが早く解放することがなくなる。これによって、例えば［Ｒレンジ→Ｄレンジ］や［Ｄレンジ→Ｒレンジ］のシフトレンジを切り替える際のガレージショックを抑制することができる。
【００８１】
また、図６（ｃ）に示すように、作動油が低油温以外の状況のときにシフト切替フェールを検出した場合には、そのシフト切替フェールを検出した時点で、クラッチ解放指示を出して自動変速機３のクラッチを解放するので、シフト切替フェール時の動力伝達の遮断を適切なタイミングで行うことができる。すなわち、作動油が低油温以外の状況のときにはクラッチ解放の応答性が良いので、シフト切替フェールを検出した後にクラッチ解放（動力遮断）を行っても、クラッチ解放遅れが生じることがなく、車両の移動（後進）を防止することができる。
【００８２】
−他の実施形態−
以上の例では、シフト切替要求時の作動油の油温が閾値ＴＨＯ未満（氷点下）であるときには、シフト切替要求と同時に自動変速機３の解放側のクラッチを解放して動力遮断を行っているが、本発明はこれに限定されない。
【００８３】
例えば、図７に示すような解放遅延時間（シフト切替要求時からクラッチ解放指示までの時間）の算出用マップを実験・計算等によって作成してＳＢＷ＿ＥＣＵ２００のＲＯＭ等に記憶しておき、油温センサ１６にて検出される油温に基づいて前記マップを参照して解放遅延時間を求め、その解放遅延時間に基づいてクラッチ解放のタイミングを設定するようにしてもよい。図７に示すマップにおいて、油温センサ１６にて検出される油温がＴＨＯ２（例えば−２０℃）未満である場合、解放遅延時間を０ｍｓ（シフト切替要求と同時）としている。また、ＴＨＯ２以上でＴＨＯ１（例えば０℃）未満の領域は、油温センサ１６にて検出される油温に応じて油温が高いほど解放遅延時間が長くなるように設定されている。なお、検出油温が閾値ＴＨＯ１以上である場合は、通常制御時のタイミングでクラッチを解放する。
【００８４】
以上の例では、Ｐ，Ｒ，Ｎ，Ｄの各シフトレンジに切り替えるシフトレンジ切替機構に本発明を適用した例を示したが、本発明はこれに限られることなく、例えばＰ，Ｒ，Ｎ，Ｄに、セカンドレンジ（２）やローレンジ（Ｌ）が付加されたシフトレンジ切替機構などの他の任意のシフトレンジ切替機構にも適用可能である。また、ディテントレバー１０６に回動動作に連動してＰレンジと非Ｐレンジの２つのレンジを選択的に切り替えるレンジ切替機構にも本発明は適用可能である。
【００８５】
以上の例では、出力軸１０５の回転角（ディテントレバー１０６の回転角）をＮＳＷセンサ１０４で検出しているが、これに替えて、例えばマニュアルバルブ３０２のスプール弁３０３の操作量など、出力軸１０５と一体的に駆動される部品の操作量（回転角、移動量等）を検出するようにしてもよい。
【００８６】
以上の例では、車両に搭載された油圧式の自動変速機の摩擦係合要素を解放することにより前記動力伝達の遮断を行っているが、これに限られることなく、エンジンの出力軸から駆動輪へと至るまでの間の動力伝達経路に、油圧式の動力遮断手段（例えばクラッチ）を自動変速機とは個別に設け、その油圧式の動力遮断手段の作動によって上記動力伝達の遮断を行うようにしてもよい。
【００８７】
以上の例では、クラッチ及びブレーキと遊星歯車装置とを用いて変速比を設定する遊星歯車式変速機が搭載された車両の制御装置に本発明を適用した例を示したが、本発明はこれに限られることなく、ベルト式無段変速機（ＣＶＴ）など無段変速機が搭載された車両の制御装置にも適用可能である。
【図面の簡単な説明】
【００８８】
【図１】本発明のシフト切替装置の制御系の構成を示すブロック図である。
【図２】自動変速機の一例を示す概略構成図及び制御系のブロック図を併記して示す図である。
【図３】図２に示す自動変速機の作動表である。
【図４】レンジ切替機構の概略構成を示す斜視図である。
【図５】シフト切替制御の一例を示すフローチャートである。
【図６】シフト切替制御の一例を示すタイミングチャートである。
【図７】自動変速機のクラッチの解放遅延時間を算出するマップの一例を示す図である。
【符号の説明】
【００８９】
１  シフト切替装置
１１  車両電源スイッチ
１２  Ｐスイッチ
１３  シフトスイッチ
１００  シフトレンジ切替機構
１０１  モータ（アクチュエータ）
１０３  エンコーダ
１０４  ＮＳＷセンサ
１０５  出力軸
１０６  ディテントレバー
１０７  ディテントスプリング
１０８  ローラ
２００  ＳＢＷ＿ＥＣＵ
３  自動変速機
Ｃ１，Ｃ３  クラッチ（動力遮断手段）
３００  ＥＣＴ＿ＥＣＵ
３０１  油圧制御回路
３０２  マニュアルバルブ
【図１】
0004285570.tif 000002
【図２】
0004285570.tif 000003
【図３】
0004285570.tif 000004
【図４】
0004285570.tif 000005
【図５】
0004285570.tif 000006
【図６】
0004285570.tif 000007
【図７】
0004285570.tif 000008